(57)【要約】      （修正有）【課題】安全を確保できる電源プラグを提供する。【解決手段】電源プラグは、プラグ本体１と、プラグ本体１の両端にはそれぞれ２個の接触片１１、１２と２個の導線１３、１４を設置し、プラグ本体１の内部には導通或いは切断を選択することができる切換部品１６、ヒューズ１８１、過電流スイッチ１５、温度制御部品１７を設置する。又、プラグ本体１の１組の接触片１１と導線１３間は、過電流スイッチ１５と切換部品１６に接続し、もう１組の接触片１２と導線１４間は、温度制御部品１７とヒューズ１８１に接続し、ダブル回路により安全を確保する。さらに、切換部品１６の切換により、不使用時には電源の切断を構成し、これにより電源端と電気製品とは、安全なシャットアウトを呈し、残留電圧の導通を防止可能で、こうして節電と安全確保の目的を達成し、しかも電源の異常時には、過電流スイッチ１５、温度制御部品１７、ヒューズ１８１の切断動作により、電力使用の安全を確保する。【選択図】図３
0003162837.tif 000002
【実用新案登録請求の範囲】
【請求項１】
プラグ本体を設置し、
前記プラグ本体の両端には、それぞれ２個の接触片と２個の導線を設置し、前記プラグ本体の内部には、導通或いは切断を選択することができる切換部品、ヒューズ、過電流スイッチ、温度制御部品を設置し、
前記プラグ本体の１組の接触片と導線間は、過電流スイッチと切換部品に接続し、もう１組の接触片と導線間は、温度制御部品とヒューズに接続し、ダブル回路により安全を確保し、
前記切換部品の切換により、不使用時には電源の切断を構成し、これにより電源端と電気製品とは、安全なシャットアウトを呈し、残留電圧の導通を防止可能で、こうして節電と安全確保の目的を達成し、
しかも、電源の異常時には、前記過電流スイッチ、前記温度制御部品、前記ヒューズの切断動作により、電力使用の安全を確保することを特徴とする安全を確保できる電源プラグ。
【請求項２】
１個の接触片は、前記過電流スイッチに連接し、前記過電流スイッチにより、前記切換部品に連接し、さらに前記切換部品により、前記導線に連接し、こうして電源回路を構成し、
前記もう１個の接触片は、前記温度制御部品に連接し、前記温度制御部品により、前記ヒューズに連接し、さらに前記ヒューズにより、前記導線に連接し、こうしてもう一つの電源回路を構成することを特徴とする請求項１に記載の安全を確保できる電源プラグ。
【請求項３】
前記切換部品は、プッシュスイッチであることを特徴とする請求項１に記載の安全を確保できる電源プラグ。
【請求項４】
前記ヒューズは、ヒューズ台内に設置することを特徴とする請求項１に記載の安全を確保できる電源プラグ。
【考案の詳細な説明】
【技術分野】
【０００１】
本考案は安全を確保できる電源プラグに関し、特に電気製品の不使用時には電源切断状態を構成することができ、これにより電源端と電気製品とは完全なシャットアウトを呈し、残留電圧の導通を防止し、しかも電源の異常時には自動的に電源を切断でき、節電と安全確保の目的を達成することができる安全を確保できる電源プラグに関する。
【背景技術】
【０００２】
市内電源(１１０Ｖ、２２０Ｖなど)を使用する電気製品には、通常は、導線に連接したプラグを設置する。
使用時には、給電ソケットにプラグを挿入して設置すると、電力が電気製品に伝送される。
電気製品を使用しない時には、通常は、電気製品に設置されるスイッチを用いて電源をオフにするだけであるが、プラグはなおソケットに挿入されたままであるため、いくらかの電力が、電源端と電気製品との間を流れており、エネルギーの浪費となっている。
しかし、電気製品の使用後にプラグを毎回ソケットから抜くのでは、使用において非常に面倒で、また安全とはいえないため、改善が待たれる。
さらに、一般の電源は、サージの状況が存在し、しかも電気製品をオーバーロードの状態で使用していても、使用者は全く気づいていないという状況がしばしば見られる。
従来のプラグは、サージ及びオーバーロードを自動的に探知し、また自動的に電源を切断するというような機能を持たないため、プラグの使用の不注意で、事故が起きてしまうこともある。
すなわち本考案は、従来の電源プラグの上記した欠点に鑑み、電気製品を使用しない時には、省エネの目的を達成し、しかも安全確保の作用を兼ね備えるソケットの構造を開発したものである。
【考案の概要】
【考案が解決しようとする課題】
【０００３】
本考案が解決しようとする課題は、電気製品の不使用時には、完全な電源切断状態を構成し、これにより電源端と電源設備とは完全なシャットアウトを呈し残留電圧の導通を防止し、しかも電源の異常時には自動的に電源を切断でき、節電と安全確保の目的を達成することができる安全を確保できる電源プラグを提供することである。
【課題を解決するための手段】
【０００４】
上記課題を解決するため、本考案は下記の安全を確保できる電源プラグを提供する。
安全を確保できる電源プラグは、プラグ本体を設置し、
該プラグ本体の両端には、それぞれ接触片と導線を設置し、該プラグ本体の内部には、導通或いは切断を選択することができる切換部品、ヒューズ、過電流スイッチ、温度制御部品を設置し、
該プラグ本体の１組の接触片と導線間は、過電流スイッチと切換部品に接続し、もう１組の接触片と導線間は、温度制御部品とヒューズに接続し、ダブル回路により安全を確保し、
該切換部品の切換により、不使用時には電源の切断を構成し、これにより電源端と電気製品とは、安全なシャットアウトを呈し、残留電圧の導通を防止可能で、こうして節電と安全確保の目的を達成し、
しかも、電源の異常時には、該過電流スイッチ、該温度制御部品、該ヒューズの切断動作により、電力使用の安全を確保し、
該切換部品は、プッシュスイッチ或いはレバースイッチである。
【考案の効果】
【０００５】
本考案の安全を確保できる電源プラグは、切換部品、過電流スイッチ、温度制御部品、ヒューズを、さまざまな型式の電源プラグに設置することで、電気製品の不使用時には、切換部品により電源切断状態を構成し、電源端と電気製品とは、安全なシャットアウトを呈し、残留電圧の導通を防止可能で、こうして節電の目的を達成することができる。
また、電源の異常時には、自動的に電源を切断し、安全を確保することができる。
【図面の簡単な説明】
【０００６】
【図１】本考案第一実施例の立体図である。
【図２】本考案第一実施例の立体分解図である。
【図３】本考案第一実施例の断面図である。
【図４】本考案第一実施例の防水構造の立体図である。
【図５】本考案第二実施例の立体図である。
【図６】本考案第三実施例の立体図である。
【図７】本考案第四実施例の立体図である。
【図８】本考案第五実施例の立体図である。
【考案を実施するための形態】
【０００７】
以下に図面を参照しながら本考案を実施するための最良の形態について詳細に説明する。
【０００８】
本考案第一実施例の立体図、本考案第一実施例の立体分解図、本考案第一実施例の断面図である図１、２、３に示すように、本考案はプラグ本体１を設置する。
プラグ本体１の一端には、対称に排列する２個の接触片１１、１２を設置し、反対端には、２個の導線１３、１４を設置する。
プラグ本体１の内部には、プラグ本体１表面に突出する過電流スイッチ１５、プラグ本体１表面に突出し、導通或いは切断を選択することができる切換部品１６、温度制御部品１７、プラグ本体１表面に突出し、異なるアンペアのヒューズ１８１を設置するヒューズ台１８を設置する。
接触片１１は、過電流スイッチ１５に連接し、過電流スイッチ１５により切換部品１６に連接し、さらに切換部品１６により導線１３に連接する。
接触片１２は、温度制御部品１７に連接し、温度制御部品１７により、ヒューズ台１８に連接し、ヒューズ台１８により導線１４に連接する。
【０００９】
上記した構成部材の組合せにより、接触片１１、過電流スイッチ１５、切換部品１６、導線１３は、プラグ本体１内において電源回路を構成する。
また、接触片１２、温度制御部品１７、ヒューズ１８１、導線１４は、プラグ本体１内においてもう一つの電源回路を構成する。
こうして、ダブル回路により安全を確保する。
プラグ本体１を電気製品に設置して使用する時には、切換スイッチ１６によりオンにし、電源を導通させる。
不使用時には、切換スイッチ１６によりオフにし、電源を切断し、こうして、電源端と電気製品とは完全にシャットアウトされ、残留電力の導通を防止し、節電の目的を達成することができる。
しかも、電源の異常時には、過電流スイッチ１５、温度制御部品１７、ヒューズ１８１により切断し、こうして電力使用の安全を確保することができる。
【００１０】
上記したように、本考案のプラグ本体１は、使用中に電源に異常が発生すると、以下のような安全確保動作を行い、その効果を達成する。
1．接触片１１、１２端の電源にサージなどの異常電流が発生すると、過電流スイッチ１５は、スキップし電源を切断する。これにより、電源は導線１３へと導通しないため、異常電流により電気製品が衝撃を受け故障することを防止可能で、しかもサージ状況を排除後には、過電流スイッチ１５をリセット(押す)すれば、正常な導電機能を回復することができる。
2．接触片１１、１２端の電源線において、ショートにより異常な高温が発生すると、温度制御部品１７は、異常温度を探知し、スキップし電源を切断する。これにより、電源は導線１４へと導通せず、しかも高温によりプラグ全体が焼ける状況の発生を回避することができ、こうして安全を確保し、しかも電源線端高温状況の排除後には、温度制御部品１７は、導通状態を自動的に回復する。
3．導線１３、１４端の電気製品に異常状況があり、オーバーロードの状態となった時には、ヒューズ１８１は、アンペア数が高過ぎることで溶けて切れ、こうしてオーバーロード電流は電源端に回流しないため、安全確保の作用を構成することができる。しかも、ヒューズ１８１は溶けて切れた後、使用者は新しいヒューズ１８１に交換することができる。
4．切換部品１６は、電源回路の中央位置に位置し、出力及び入力端の区画を構成し、こうして電源前、後端の安全確保を達成する。
【００１１】
図１に合わせて、本考案第一実施例の防水構造の立体図である図４に示すように、本考案は、過電流スイッチ１５に防水カバーを被せて設置し、切換部品１６は防水覆い２２により覆い、ヒューズ台１８とプラグ本体１との間には、防水ワッシャ２３を嵌めて設置し、導線１３、１４とプラグ本体１との間には、防水カバー２４を被せて設置する。
こうして、プラグ本体１は防水の作用を構成し、防水機能が求められる工業器具或いは電器設備に応用することができる。
【００１２】
本考案第二、第三実施例の立体図である図５、図６に示すように、本考案のプラグ本体１は、国、地区、規格の違いに応じて異なる型式に設計することができる。
同様に、異なる型式のプラグ本体１には、過電流スイッチ１５、切換部品１６、温度制御部品１７(図示なし)、ヒューズ１８１を設置し、切換部品１６のオフにより、電源端と電気製品とは、安全なシャットアウトを呈し、残留電圧の導通を防止可能で、こうして節電と安全確保の目的を達成することができる。
しかも、電源の異常時には、過電流スイッチ１５、温度制御部品１７、ヒューズ１８１の切断動作により、電力使用の安全を確保することができる。
【００１３】
本考案第四、第五実施例の立体図である図７、図８に示すように、本考案のプラグ本体１は、国、地区、規格の違いに応じて異なる型式に設計することができる。
同様に、異なる型式のプラグ本体１には、過電流スイッチ１５、切換部品１６、温度制御部品１７(図示なし)、ヒューズ１８１を設置し、切換部品１６のオフにより、電源端と電気製品とは、安全なシャットアウトを呈し、残留電圧の導通を防止可能で、こうして節電と安全確保の目的を達成することができる。
しかも、電源の異常時には、過電流スイッチ１５、温度制御部品１７、ヒューズ１８１の切断動作により、電力使用の安全を確保することができる。
【００１４】
上記したように、本考案は、切換部品１６、過電流スイッチ１５、温度制御部品１７、ヒューズ１８１を、さまざまな型式の電源プラグに設置することで、電気製品の不使用時には、切換部品１６により電源切断状態を構成し、電源端と電気製品とは、安全なシャットアウトを呈し、残留電圧の導通を防止可能で、こうして節電の目的を達成することができる。
また、電源の異常時には、自動的に電源を切断し、安全を確保することができる。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１  プラグ本体
１１  接触片
１２  接触片
１３  導線
１４  導線
１５  過電流スイッチ
１６  切換部品
１７  温度制御部品
１８  ヒューズ台
１８１  ヒューズ
２１  防水カバー
２２  防水覆い
２３  防水ワッシャ
２４  防水カバー
【図１】
0003162837.tif 000003
【図２】
0003162837.tif 000004
【図３】
0003162837.tif 000005
【図４】
0003162837.tif 000006
【図５】
0003162837.tif 000007
【図６】
0003162837.tif 000008
【図７】
0003162837.tif 000009
【図８】
0003162837.tif 000010